(57)【要約】【課題】基材の表面を複数の皮革片で覆った構成の自動車のインパネにおいて、構成が簡素であると共に、各皮革の端部同士の突き合わせ部位における皮革の盛り上がり量のばらつきを防止し、美観や品質を良好に保つことができる自動車のインパネを提供する。【解決手段】基材３と、皮革素材２０の端縁に沿って形成された曲げ剛性が小さい小剛性部位のところで、皮革素材２０の裏面が互いに接するように皮革素材２０を折り返して形成された重合部９を備え各重合部９の縁が互いに対向するようにして基材３の表面を覆っている複数片の皮革５、６、７とを有するインパネ１である。【選択図】図１
2008094126.tif 000002
【特許請求の範囲】
【請求項１】
基材と；
皮革素材の端縁に沿って形成された曲げ剛性が小さい小剛性部位のところで、前記皮革素材の裏面が互いに接するように前記皮革素材を折り返して形成された重合部を備え、各重合部の縁が互いに対向するようにして前記基材の表面を覆っている複数片の皮革と；
を有することを特徴とする自動車の内壁部材。
【請求項２】
請求項１に記載の自動車の内壁部材において、
前記皮革は、前記皮革素材の端縁に沿って前記皮革素材の裏面側の部位を所定の幅で除去して形成された帯状の薄肉部の幅方向の中間部に前記小剛性部位が形成され、または、前記薄肉部と前記薄肉部が形成されていない前記皮革素材の部位との境界のところに前記小剛性部位が形成されていたことを特徴とする自動車の内壁部材。
【請求項３】
基材と；
皮革素材の端縁に沿って前記皮革素材の裏面側の部位を所定の深さおよび所定の幅で除去して形成された帯状の薄肉部とこの薄肉部が形成されていない前記皮革素材の部位との境界のところで、前記皮革素材の裏面が互いに接するように前記皮革素材を折り返して形成された重合部を備え、各重合部の縁が互いに対向するようにして前記基材の表面を覆っている複数片の皮革と；
を有することを特徴とする自動車の内壁部材。
【請求項４】
請求項３に記載の自動車の内壁部材において、
前記皮革素材の端縁の延伸方向から眺めた場合、前記皮革素材の薄肉部は、前記薄肉部と前記薄肉部が形成されていない前記皮革素材の部位との境界から前記皮革素材の端縁に向かうにしたがって徐々に厚くなっていたものであり、また、前記皮革素材の端縁の延伸方向から眺めた場合、前記薄肉部と前記薄肉部が形成されていない前記皮革素材の部位との境界に存在する面は、前記薄肉部が形成されていない前記皮革素材の部位側が前記皮革素材の端縁から離れた側に位置し、前記薄肉部側が前記皮革素材の端縁側に位置するようにして、僅かに斜めになっていたことを特徴とする自動車の内壁部材。
【請求項５】
請求項１〜請求項４のいずれか１項に記載の自動車の内壁部材において、
前記皮革の重合部には、前記重合部を形成している皮革素材を縫い合わせるための縫い目が前記端縁に沿って設けられていることを特徴とする自動車の内壁部材。
【発明の詳細な説明】
【技術分野】
【０００１】
本発明は、自動車の内壁部材に係り、特に、表面が皮革で覆われているものに関する。
【背景技術】
【０００２】
従来、基材の表面に皮革を設けた構成のインパネ（インストルメントパネル）が知られている。
【０００３】
従来のインパネは、基材の表面に複数片の皮革を貼り付けて構成されており、皮革で覆われていることにより、運転者からは基材が見えないようになっている。
【０００４】
また、従来のインパネにおいては、各皮革の端部同士の突き合わせ部位（第１の皮革とこの第１の皮革に隣接している第２の皮革との境界の部位）を、たとえば、縫い割り構造（２つの皮革を重ね、各皮革の端部の近傍を所定の長さにわたって縫い合わせた後、２つの皮革を開き、各皮革の端部が存在する側を基材に対向させ、各皮革の端部が存在しない側を表側にして、２つの皮革を基材に貼り付けた構造）やキメコミ構造で処理している。
【０００５】
なお、前記従来のインパネに関連する文献としてたとえば特許文献１を掲げることができる。
【特許文献１】特開２００４−３５９１７０号公報
【発明の開示】
【発明が解決しようとする課題】
【０００６】
ところで、インパネで、従来のような縫い割り構造を採用すると、各皮革の端部同士の突き合わせ部位において、皮革が盛り上がり、また、盛り上がり量に個体差が生じ、インパネの美観や品質が損なわれるという問題がある。また、従来のようなキメコミ構造では、基材の表面に、皮革の端部を収納するための溝を予め形成しておかなければならず、インパネの構造が煩雑になるという問題がある。
【０００７】
なお、前記問題は、インパネだけでなく、ドアパネル等の自動車の内壁部材においても同様に発生する問題である。
【０００８】
本発明は、前記問題点に鑑みてなされたものであり、基材の表面を複数の皮革片で覆った構成の自動車の内壁部材において、構成が簡素であると共に、各皮革の端部同士の突き合わせ部位における皮革の盛り上がり量のばらつきを防止し、美観や品質を良好に保つことができる自動車の内壁部材を提供することを目的とする。
【課題を解決するための手段】
【０００９】
請求項１に記載の発明は、基材と、皮革素材の端縁に沿って形成された曲げ剛性が小さい小剛性部位のところで、前記皮革素材の裏面が互いに接するように前記皮革素材を折り返して形成された重合部を備え、各重合部の縁が互いに対向するようにして前記基材の表面を覆っている複数片の皮革とを有する内壁部材である。
【００１０】
請求項２に記載の発明は、請求項１に記載の自動車の内壁部材において、前記皮革は、前記皮革素材の端縁に沿って前記皮革素材の裏面側の部位を所定の幅で除去して形成された帯状の薄肉部の幅方向の中間部に前記小剛性部位が形成され、または、前記薄肉部と前記薄肉部が形成されていない前記皮革素材の部位との境界のところに前記小剛性部位が形成されていた自動車の内壁部材である。
【００１１】
請求項３に記載の発明は、基材と、皮革素材の端縁に沿って前記皮革素材の裏面側の部位を所定の深さおよび所定の幅で除去して形成された帯状の薄肉部とこの薄肉部が形成されていない前記皮革素材の部位との境界のところで、前記皮革素材の裏面が互いに接するように前記皮革素材を折り返して形成された重合部を備え、各重合部の縁が互いに対向するようにして前記基材の表面を覆っている複数片の皮革とを有する自動車の内壁部材である。
【００１２】
請求項４に記載の発明は、請求項３に記載の自動車の内壁部材において、前記皮革素材の端縁の延伸方向から眺めた場合、前記皮革素材の薄肉部は、前記薄肉部と前記薄肉部が形成されていない前記皮革素材の部位との境界から前記皮革素材の端縁に向かうにしたがって徐々に厚くなっていたものであり、また、前記皮革素材の端縁の延伸方向から眺めた場合、前記薄肉部と前記薄肉部が形成されていない前記皮革素材の部位との境界に存在する面は、前記薄肉部が形成されていない前記皮革素材の部位側が前記皮革素材の端縁から離れた側に位置し、前記薄肉部側が前記皮革素材の端縁側に位置するようにして、僅かに斜めになっていた自動車の内壁部材である。
【００１３】
請求項５に記載の発明は、請求項１〜請求項４のいずれか１項に記載の自動車の内壁部材において、
前記皮革の重合部には、前記重合部を形成している皮革素材を縫い合わせるための縫い目が前記端縁に沿って設けられている自動車の内壁部材である。
【発明の効果】
【００１４】
本発明によれば、基材の表面を複数の皮革片で覆った構成の自動車の内壁部材において、構成が簡素であると共に、各皮革の端部同士の突き合わせ部位における皮革の盛り上がり量のばらつきを防止し、美観や品質を良好に保つことができるという効果を奏する。
【発明を実施するための最良の形態】
【００１５】
［第１の実施形態］
図１は、本発明の第１の実施形態に係るインパネ（インストルメントパネル）１の概略構成を示す図であり、図２は、インパネ１を分解した状態を示す図である。なお、図２においては、皮革６、７は省略してある。
【００１６】
インパネ１は、自動車のフロントガラスの下側で運転席および助手席の前方に設置されるものであり、樹脂や金属で構成された基材３を備えていると共に、基材３が、複数片の皮革５、６、７等で覆われている。
【００１７】
より詳しく説明すると、各皮革５、６、７の端縁同士を突き合わせた（接触した）状態で、各皮革５、６、７の裏面（各皮革５、６、７の基材３側および後述の網状層側の面）が基材３に接着剤で接着され、各皮革５、６、７等で基材３が被覆されている。
【００１８】
ここで、皮革５について詳しく説明する。皮革６、７等は、皮革５と同様に構成されているので、ここでは、皮革５についての説明を行い、皮革６、７等についての説明は省略する。
【００１９】
皮革５は、いわゆる天然皮革であり、表面に塗膜（塗膜層）を備えシート状に形成されており、前述したように、基材３を被覆するためのものである。なお、本発明に使用する皮革は天然皮革のみに限定されるものではなく、人工的にシート状に形成しその表面に前述の塗膜を設けたいわゆる人工皮革であってもよいことは勿論である。
【００２０】
また、良く知られているように本発明に使用する天然皮革は、動物の真皮を用いたものでありその断面を観察すると鞣し処理などで除去された表皮側から銀面層２５００、網状層１７００があり、銀面層の表皮面（表皮側）に防水、防汚及び光沢出しの目的で前述した塗膜層３１００が形成されている（図４（ａ）参照）。一般的には銀面層２５００が機械的な性状である強度などが高めで硬い傾向にあり、太い繊維が三次元的に互いに緩やかに配置されている網状層１７００は強度などが銀面層２５００よりは相対的に低めで軟らかい傾向がある。
【００２１】
皮革５の縁部には、重合部９が形成されている。ここで、重合部９について説明する。
【００２２】
図３、図４は、重合部９の形成過程および構成を示す図であり、図４（ｃ）は、図２におけるＩＶ−ＩＶ断面を示す図である。
【００２３】
重合部９（図４（ｃ）参照）は、薄肉部１１とこの薄肉部１１が形成されていない皮革素材２０の部位１３との境界（段差）１５（図４（ｂ）参照）のところで薄肉部１１と皮革素材２０の裏面１７が互いに接するように皮革素材２０を折り返し粘着剤で貼り合せることにより、形成されている。また、重合部９は、皮革５の縁部１９に形成されている。
【００２４】
薄肉部１１は、皮革素材２０（重合部９が形成される前の皮革；（図４（ａ）参照）の端縁２１に沿って皮革素材２０の裏面１７側の部位を所定の深さｄ１および所定の幅ｂ１で除去して帯状に形成されている（図４（ｂ）参照）。
【００２５】
また、薄肉部１１の厚さｔ１は、皮革素材２０における部位１３の厚さｔ３の１／５倍〜１／２倍程度の厚さ（好ましくはほぼ１／２倍の厚さ）になっており、薄肉部１１の幅ｂ１は、厚さｔ３の３倍〜１０倍程度の幅（好ましくは、５倍〜６倍の幅）になっている。
【００２６】
したがって、重合部９の厚さｔ５は、薄肉部１１の厚さｔ１と皮革素材２０の部位１３の厚さｔ３との和にほぼ等しくなっており、重合部９の幅ｂ３は、薄肉部１１の幅ｂ１よりも僅かに小さくなっている（図４（ｃ）参照）。
【００２７】
また、皮革５の重合部９の一部が、スキ部２３によって除去されている。すなわち、重合部９が形成されたことにより、皮革素材２０のおもて面２５側（前述の銀面層側）から皮革素材２０の裏面１７側に位置するようになった反転部位２７のおもて面側（銀面層側）が、帯状のスキ部２３によって所定の厚さｔ７だけ除去されている（図４（ｃ）参照）。
【００２８】
除去された厚さｔ７は、薄肉部１１の厚さｔ１よりも薄く（たとえば、厚さｔ１の半分程度）なっており、また、スキ部２３を設けたことによって、重合部９の厚さｔ９が、皮革素材２０の部位１３の厚さｔ３よりも僅かに厚くなっているようにすることが好ましい（図５（ａ）参照）。
【００２９】
更に好ましくは、接着力を低下させる作用をする塗膜層３１００のみを除去しおもて側にある銀面層２５００は成るべく除去しないようにすることである。これにより、比較的接着強度などの特性が高い銀面層２５００が接着剤を介して直接基材３に接着されるので、突き合わせた端縁部同士の接着面が強固に基材３に固定され、インパネ１として製品となった場合に高い耐久性をもった製品を提供することができる。
【００３０】
また、上記の実施例の場合はスキ加工によりスキ部２３が形成される反転部位２７が、折り返された状態で既にほぼ平坦状に形成されるようになるので、スキ部２３が均一の厚さでスキ加工されてスキ加工部全体に亘ってムラなく塗膜が除去できるという波及効果を併せ持つ。
【００３１】
さらに、重合部９に、重合部９を形成している各皮革素材２０の部位を縫い合わせるための縫い目２８（図５（ａ）、図６参照）を設ける場合がある。縫い目２８は、重合部９の端縁３０に沿って設けられている。
【００３２】
このように、縫い目２８を設けることで、前記折り返された部位とこの折り返された部位に接合された部位とを堅固に固定すること、すなわち、重合部９を堅固にすることができる。縫い目２８を設けた重合部９にねじれやはがれの力が加わった場合に、重合部９の皮革素材を折り返し貼り合わせた部分からはがれ始めることによる、基材３からの皮革５のはがれがなくなる。
【００３３】
次に、重合部９を形成する過程について説明する。
【００３４】
まず、図４（ａ）に示すような重合部９が形成されていない適宜な形状のシート状の皮革素材２０を用意する。なお、基材３の表面が曲面である場合には、この曲面に応じて皮革素材２０も曲面状のものを用意することが望ましい。
【００３５】
続いて、皮革素材２０の端縁２１に沿って皮革素材２０の裏面１７側の部位を所定の深さｄ１および所定の幅ｂ１で除去して帯状の薄肉部１１を形成する（図４（ｂ）参照）。
【００３６】
続いて、薄肉部１１の裏面１１Ａと、薄肉部１１が形成されていない皮革素材２０の裏面１７側の部位であって薄肉部１１に隣接し薄肉部１１の裏面１１Ａとほぼ同じ幅の裏面部位１７Ａとに粘着剤を塗布する。
【００３７】
この場合、粘着剤は粘着力があり比較的硬化するまでの時間が長い例えばゴム系の粘着剤を用いる。この方法を用いると反転部位２７を折り返して粘着した際、すぐ硬化しない特性を利用して万が一折り返し幅がずれた場合の修正が可能であると共に、基材３に皮革５、７を接着するまでに粘着剤が硬化するようになるので、皮革５、７を基材３に貼り付けたときに重合部９が強固に構成され該重合部９の突き合わせ接着部が更に強固に構成されるようになる。
【００３８】
続いて、薄肉部１１と薄肉部１１が形成されていない皮革素材２０の部位１３との境界１５のところで、皮革素材２０の裏面部位１７Ａと薄肉部１１の裏面１１Ａとが互いに接するように（前記粘着剤が塗布された裏面同士が粘着剤を介して互いに貼り付くように）皮革素材２０を折り返して重合部９を形成する（図４（ｃ）参照）。
【００３９】
なお、図４や図５では、本発明の基本的内容を説明するために皮革素材２０の端縁２１を直線状の形態にして説明してあるが、実際には前述の通り複数の曲線で構成された端縁になる。前記端縁が直線状あれば等幅の折り返しは比較的容易だが、インパネ１のように基材３が三次元立体で複雑な曲面で構成されている部分に貼り付ける皮革５では皮革素材２０の形状も複雑になる。
【００４０】
このような皮革素材２０の端縁２１を等幅で折り返すことは困難であり、折り返し位置がずれると、基材３に貼りつけた皮革５と皮革７との突き合わせ部に隙間ができたり、皮革５皮革７同士が重なり合い製品にならない。しかし、皮革５によれば、段差１５のところで折り返しを行なうので、縁部を等幅で折り返すことが容易になっている。
【００４１】
ところで、前述したようなスキ部２３を設けないで縫い目２８を設ける場合には、重合部９を形成した後、縫い目２８を設ける。
【００４２】
一方、前述したようなスキ部２３と縫い目２８とを設ける場合には、折り返して重合部９を形成した後、スキ部２３を設け、この後に縫い目２８を設ける。
【００４３】
また、図５（ｂ）に示すように、薄肉部１１が折り返されて接合される裏面部位１７Ａを、スキ部２９を設けることで僅かな厚さだけ除去し、このスキ部２９で除去された部位に薄肉部１１を接合し重合部を形成してもよい。スキ部２９で皮革素材２０の裏面部位１７Ａを除去することで、重合部９の厚さを薄くし、重合部９が形成されていない部位における皮革の厚さと重合部９が形成されている部位における皮革の厚さとをほぼ同じ厚さにすることが容易になる。
【００４４】
ところで、前述したように、おもて面２５に形成された薄い被膜３１（塗膜層３１００）は、皮革素材２０を折り返し重合部９が形成されたときに、皮革５の裏面１７側に位置する反転部位２７にも形成されていることになるが、前述したようにスキ部２３を設ければ、重合部９の折り返された反転部位２７の被膜３１が除去され、さらに、後述する銀面層２５００の一部も除去される場合がある。
【００４５】
ここで、繰り返して説明するが一般的には、皮革５のおもて面２５は銀面側の面であり、皮革５の裏面１７は肉面側の面である。
【００４６】
銀面、肉面について説明する。皮革としてたとえば牛皮を考えた場合、銀面とは牛の表皮面（毛の生えていた面）に相当する面をいい、肉面とは、牛の肉側の面をいう。また、皮革を構成している繊維成分は、銀面側では密になっており、肉面側では粗くなっている。したがって、前記銀面側では、引っ張り強度等の機械的強度が高く、前記肉面側では、機械的強度が低くなっている。
【００４７】
なお、銀面側で繊維成分が密になっている層を銀面層２５００といい、肉面側で繊維成分が疎になっている層を前述の網状層１７００という。
【００４８】
前述したように構成された皮革５、６、７等で、基材３が被覆されている（図１参照）。この被覆においては、たとえば、図６（図１におけるＶＩ−ＶＩ断面）に示すように、各皮革５、６の端縁（各重合部９の端縁）３０同士を突き合わせた（対向し接触した）状態で、各皮革５、６の裏面１７（反転部位２７を含む）が基材３に接着されている。
【００４９】
なお、図６に示すように、各皮革５、６が基材３に貼り付けられた状態では、重合部９が設けられている部位における皮革５の厚さｔ５（スキ部２３が設けられている場合は厚さｔ９；図４（ｃ）参照）が、重合部９が設けられていない部位における皮革５の厚さｔ３よりも、僅かに厚くなっているので、重合部９が設けられている部位と重合部９が設けられていない部位との間に僅かな隙間３３が形成される。
【００５０】
したがって、重合部９を生成するために塗布された粘着剤が僅かに染み出たとしても、この染み出した粘着剤が前記隙間３３でとまり、前記染み出した粘着剤と前記皮革５を前記基材３に接着するための接着剤とが混じった状態で、皮革５、６の裏面１７が基材３に接着されることを防止することができ、皮革５、６、７の接着強度が低下することを防止することができる。
【００５１】
ここで、皮革５の重合部９を基材３に接着剤で貼り付けたときの強度試験結果について説明する。
【００５２】
前記試験は、スキ部（反転部位２７に設けられたスキ部）２３が設けられている重合部９を備えた皮革５、５を、図７（皮革５の重合部９の貼り付け強度を測定するときの方法を示す図）に示すように基材３に接着剤で貼り付け、矢印ＡＲ１の方向に引っ張り荷重を加えて行った。したがって、図７に示す状態では、重合部９と基材３との接着面には、せん断力が生じることになる。
【００５３】
図８は、皮革５の重合部９を基材３に接着剤で貼り付けたときの強度試験結果を示す図である。
【００５４】
図８の縦軸は、重合部９や接着部が剥離すること等により、皮革５が基材３から離れるときの荷重を示す。なお、図８の縦軸の単位「ｋｇｆ」は、キログラム重を意味し、１ｋｇｆは９．８Ｎ（ニュートン）に相当する。
【００５５】
図８の横軸は、重合部９を形成する際に設けられる薄肉部１１の幅ｂ１を示し、単位は「ｍｍ」である。
【００５６】
また、図７に示す皮革５の重合部９が形成されていない部位の厚さ（皮革素材２０の厚さ）は、１．３ｍｍであり、皮革５は、図７の紙面に垂直な方向に１５ｍｍの幅をもっている。
【００５７】
図８に示すグラフＧ１は、薄肉部１１の厚さｔ１を０．９ｍｍとして重合部９を形成した皮革の貼り付け強度を示し、グラフＧ３は、薄肉部１１の厚さを０．７ｍｍとして重合部９を形成した皮革の貼り付け強度を示し、グラフＧ５は、薄肉部１１の厚さを０．５ｍｍとして重合部９を形成した皮革の貼り付け強度を示し、グラフＧ７は、薄肉部１１の厚さを０．３ｍｍとして重合部９を形成した皮革の貼り付け強度を示している。なお、各グラフＧ１、Ｇ３、Ｇ５、Ｇ７の結果を得るための各重合部９には、縫い目は設けられていない。
【００５８】
グラフＧ９は、薄肉部１１の厚さｔ１を０．７ｍｍとしさらに縫い目２８を設けて重合部９を形成した皮革の貼り付け強度を示す。グラフＧ１１は、従来の皮革の貼り付け強度を示す。ここで、従来の皮革も、重合部を備えている。ただし、従来の皮革の重合部は、皮革素材の端縁に所定の幅の薄肉部を形成し、この薄肉部にステッチを縫製し、前記端縁から一定の距離（たとえば、前記薄肉部の半分の幅）の部位（折り曲げ線）のところで前記薄肉部を折り返して接着することにより形成されているものである（たとえば、特開６−６４５４６号公報参照）。
【００５９】
図８の結果から理解されるように、グラフＧ９を除いて、薄肉部１１の幅ｂ１が７ｍｍの場合の接着強度と幅ｂ１が９ｍｍの場合の接着強度とは、変化が小さい。この理由は、薄肉部１１の幅ｂ１を広くすれば、基材３と重合部９との接着面積は増えるが、薄肉部１１を折り返して重合部９を形成するときの前記折り返しの箇所（境界１５）近辺における強度は増加せず、前記強度試験において、前記折り返しの箇所の近辺が破断するからである。
【００６０】
グラフＧ９は縫い目２８が設けられている皮革の試験結果であるので、薄肉部１１と裏面１７が合わさっているので破断が起こらない。よって、薄肉部１１の幅ｂ１が広いほど、接着強度が大きくなっている。
【００６１】
なお、薄肉部１１の幅ｂ１を広くし過ぎたりすると、折り返したときにできるしわをにがし難くなったり、重合部の皮革素材を折り返し貼り合わせた部分の接着剤が硬化したりする。薄肉部１１の厚さｔ１を厚くしすぎると、皮革素材の急激な厚さ変化がなくなるので正確に折り返し難くなったり、重合部と皮革素材の厚さ（重合部が形成されていない箇所の厚さ）の違いが大きくなり、皮革５を基材３に貼り付けた際の見映えや手触りが悪くなる。さらに、貼り付け強度としては５ｋｇｆ程度の強度で十分であるので、グラフＧ３やグラフＧ９に示すように、薄肉部１１の厚さが０．７ｍｍ程度であり、幅ｂ１が７ｍｍ程度のときが実用的であると考えられる。
【００６２】
皮革５によれば、薄肉部１１とこの薄肉部１１が形成されていない皮革素材２０の部位との境界１５のところにおいて皮革素材２０の厚さが急激に変化しているので、境界１５のところで皮革素材２０が曲がりやすくなっており、したがって境界１５のところで皮革素材２０を正確に折り返すことができ、正確な形状の重合部９を皮革５の縁部に形成することができる。
【００６３】
そして、重合部９が正確な形状に形成されると、皮革５全体の形状が正確になり、基材３に接着した場合、皮革５、６、７の間に隙間ができることを防止でき、また、皮革５、６、７が重なり合うことを防止でき、インパネ１の見映えや手触りを良好なものにすることができる。
【００６４】
なお、境界１５のような形状の他に、皮革素材の厚さが急激に変化した部位を設けて、境界１５の代わりにしてもよい。
【００６５】
さらに、境界１５に代えて、皮革素材２０の端縁２１に沿って曲げ剛性が皮革素材２０の他の部位に比べて小さい線状の小剛性部位を形成し、この小剛性部位のところで、皮革素材２０の裏面が互いに接するように皮革素材２０を折り返し粘着剤で貼り合せることにより皮革５の縁部に重合部９を形成してもよい。この際前述したような薄肉部を必ずしも設ける必要はない。
【００６６】
前記小剛性部位として、皮革素材２０の端縁２１に沿って形成された溝３５（図９（ａ）参照）、皮革素材２０の端縁２１に沿って形成されたスリット３７（図１０（ａ）参照）、皮革素材２０の端縁２１に沿って形成されたプレス（たとえば熱プレス）によって形成された変形部３９（図１０（ｄ）参照）等、皮革素材２０の厚さが急激に変化している部位を採用してもよいし、また、前記小剛性部位として、皮革素材２０の端縁２１に沿って所定の間隔をあけて形成された多数の孔（皮革素材２０の厚さ方向に延びている孔であって、皮革素材２０を貫通している孔４１、または皮革素材２０を貫通しないで途中で止まっている孔；図１０（ｃ）参照）を採用してもよい。さらに、孔４１をスリット状に形成してもよいし、また、各孔４１に糸を通して、たとえば装飾的な効果を演出してもよい。
【００６７】
また、図９（ａ）に示す溝３５は、断面が矩形状に形成されているが、図１０（ｂ）に示すように、「Ｖ」字状の断面形状の溝４３等、他の形状の溝を採用してもよい。
【００６８】
そして、剛性が他の部位に比べて小さくなっている小剛性部位を前記端縁に沿って形成し、この小剛性部位のところで、皮革素材２０を折り返して重合部９を形成すれば、前述したように皮革素材２０の厚さを急激に変化させた場合と同様に、正確な形状の重合部９を形成することができる。
【００６９】
ところで、溝３５を形成すると共に薄肉部を設け、溝３５のところで前記薄肉部を折り返し、重合部を形成してもよい。
【００７０】
たとえば、図９（ｂ）に示すように、薄肉部４５の幅方向の中間部に溝３５を設けてもよいし、図９（ｃ）に示すように、薄肉部４５と薄肉部４５が形成されていない皮革素材の部位との境界のところに溝３５を設けてもよい。
【００７１】
また、図９（ｄ）に示すように、皮革素材の端縁に向かうにしたがって薄くなるような形状（断面がたとえば台形状）になように、薄肉部４７を形成してもよい。
【００７２】
さらには、図１０（ａ）に示すうようなスリット３７、図１０（ｂ）に示すような溝４３、図１０（ｃ）に示すような多数の孔４１、図１０（ｄ）に示すような変形部３９等の小剛性部位を設けた場合においても、前述したような薄肉部を設けてもよい。
【００７３】
皮革５によれば、端縁部に重合部９が設けられていると共に、重合部９の厚さｔ９が、重合部が形成されていない部位（重合部非形成部位）の厚さｔ３よりも僅かに厚いだけであるので、皮革５を用いて基材３を被覆した場合、基材３に溝を設けなくても、キメコミをした場合と同様に、皮革の突き合わせ部位４９の形態を良好な状態にすることができる。
【００７４】
つまり、縁部に重合部９が設けられているので、各皮革５、６、７の突き合わせ部位４９では、皮革素材の端面（切断面）が露出せず、インパネ１の外観が良好になっていると共に、重合部９の厚さｔ９が重合部非形成部位の厚さｔ３よりも僅かに厚いだけであるので、各皮革５、６、７の端縁３０同士の突き合わせ部位４９で、基材３から離れる方向に各皮革５、６、７がほとんど突出せず（盛り上がらず）、インパネ１の外観が良好になっている。
【００７５】
また、インパネ１の基材３にキメコミのための深い溝を設ける必要がないので、基材３の形状を簡素化することができる。
【００７６】
したがって、基材３をたとえばモールド成形によって製造する場合、金型が複雑になることを回避することができ金型の製作コストを低減することができ、また、基材３にアンダーカットが生じることを回避することが容易になり、基材３（インパネ１）のデザインの自由度が高まる。
【００７７】
さらに、基材３に溝を設けていないので、１種類の形状の基材であっても、異なるパターンの皮革配置で被覆を行うことができる。
【００７８】
また、インパネ１の基材３を皮革で被覆する場合、キメコミをする必要がなく、単に各皮革の端同士を合わせて、皮革を接着して貼り付ければよいので、基材３を皮革で被覆する際の作業工数を低減することができる。
【００７９】
さらに、皮革５によれば、反転部位２７では、スキ部２３を設けたことにより塗装（被膜）３１が除去されているので、基材３への皮革の接着強度が高くなっている。
【００８０】
したがって、重合部９の塗装３１が除去された面が、基材３に接着されることにより、皮革の基材３への接着強度を高めることができ、皮革の突き合わせ部位４９およびこの近傍における、皮革の剥離（基材３からの特に経時変化による皮革の剥離）を防止することができ、突き合わせ部位４９が開いて、基材３が露出する事態を回避することができる。
【００８１】
また、皮革５によれば、機械的強度の高い銀面を外側にして、皮革５が基材３に接着されるので、皮革５に傷等がつくことを極力回避することができると共に、機械的強度の高い面に塗装がされているので、塗装の強度も高くなっている。
【００８２】
また、皮革５によれば、重合部９に縫い目２８が設けられているので、高級感を演出することができると共に、手触りが良好になる。
【００８３】
さらに、インパネ１によれば、各皮革５、６、７の端部に薄肉部を折り返して生成された重合部が形成されているので、縫い割り構造のように、各皮革５、６、７の端部同士の突き合わせ部位における皮革の盛り上がり量にばらつきが発生することを防止することができ、インパネ１の美観や品質を良好に保つことができる。
【００８４】
また、インパネ１によれば、基材３が複数片の皮革で覆われている構成なので、基材３の形状に合わせて、皮革を適宜分割すれば、複雑な三次元形状の基材３の表面を各皮革で覆うことが容易になる。また、皮革を１枚ずつ基材３に貼り付けることができるので、大きな基材３への皮革の貼り付け作業を１人の作業者で行うことができ、または、基材３への皮革の貼り付け作業を機械を使って自動化することが容易になり、効率良くインパネ１を製造することができる。
【００８５】
ところで、薄肉部の形態を図１１（薄肉部の形態の変形例を示す図）に示すように、変更してもよい。
【００８６】
すなわち、皮革素材２００の端縁２０７の延伸方向であって皮革素材２００に直交する方向から眺めた場合、皮革素材２００の薄肉部２０１を、境界２０５から皮革素材２００の端縁２０７に向かうにしたがって徐々に厚くなるように構形成してもよい。境界２０５は、薄肉部２０１と薄肉部２０１が形成されていない皮革素材２００の部位２０３との境界（段差）である。
【００８７】
また、皮革素材２００の端縁２０７の延伸方向であって皮革素材２００に直交する方向から眺めた場合、境界２０５に存在する面（皮革素材２００の厚さ方向にほぼ平行な面；段差を構成する面）２０９を、薄肉部２０１が形成されていない皮革素材２００の部位側２１１が皮革素材２００の端縁２０７から離れた側（図１１（ａ）の左側）に位置し、薄肉部側２１３が皮革素材２００の端縁２０７側（図１１（ａ）の右側）に位置するようにして、僅かに斜めになるように構成してもよい。
【００８８】
インパネ１によれば、図１１（ａ）に示すように、薄肉部２０１の各面２０９、２１５が斜めに形成されているので、図１１（ｂ）に示すように重合部９を形成したときに、基材３に対向する側の皮革素材２００の部位（薄肉部が形成されていない皮革素材の端部）の角度θが鈍角になり、薄肉部２０１が形成されていない皮革素材２００の部位２０３に薄肉部２０１を貼り付ける場合、薄肉部２０１の変形量（曲げ角度）を小さくすることができ、したがって、部位２０３に薄肉部２０１を貼り付ける作業が容易になり、この貼り付けを行った後においても、部位２０３から薄肉部２０１が剥がれにくくなっている。
【００８９】
また、角度θが直角や鋭角になっていると、薄肉部２０１を貼り付けて重合部を形成した場合、図１１（ｂ）に二点鎖線Ｌ１で示すように、重合部が盛り上がるおそれがあるが、角度θが鈍角になっているので、図１１（ｂ）に二点鎖線Ｌ１で示すような盛り上がりが生じるおそれを無くすことができる。そして、皮革を基材３に貼り付けた場合、皮革の端部（重合部）で、皮革が大きく盛り上がることを防止することができ、インパネ１の見映えや手触りが悪化することを防止することができる。
【００９０】
また、薄肉部２０１の厚さは、図４（ｂ）に示すようにほぼ一定であることが望ましいのであるが、皮革素材２００の端縁２０７の近傍を装置や機械を用いて切断等して厚さがほぼ一定である薄肉部２０１を形成しようとすると、皮革素材２００が変形しやすい部材である等の理由によって、薄肉部２０１の厚さをほぼ一定に保つことは難しく、１枚の皮革素材２００の加工において、薄肉部２０１の面２１５が、図１１（ａ）に示すように、斜めになったり、図１１（ａ）とは逆の勾配で斜めになったりして、薄肉部２０１の厚さの傾向にばらつきが生じてしまう。
【００９１】
そこで、図１１（ａ）に示すように、薄肉部２０１が皮革素材２００の端縁２０７側で常に厚くなるように製造する。薄肉部２０１が、端縁２０７に向かうにしたがって僅かに薄くなるように形成されていると（面２１５が、図１１（ａ）とは逆の勾配で斜めに形成されていると）、薄肉部２０１を折り返して重合部を形成する場合、薄肉部２０１と薄肉部以外の部位２０３との境界がはっきりしない事態が発生し、折り返しをする部位がばらついてしまうおそれがあるが、前述したように、薄肉部２０１を、端縁２０７に向かうにしたがって僅かに厚くなるように形成することにより、薄肉部２０１を折り返して重合部９を形成する場合、折り返しをする部位がよりはっきりし、正確な折り返しをすることができる。
【００９２】
なお、図１１（ａ）では、薄肉部２０１の面２１５が斜めな直線で形成されているが、１１（ａ）に破線Ｌ３で示すように下側にへこんだ曲線状の形状に形成されていてもよい。また、図１１（ｂ）では、薄肉部２０１の上面が斜めになっているが、薄肉部２０１を折り返して重合部９を形成する際、薄肉部２０１の上面が押圧されるので、薄肉部２０１が変形し、完成品では薄肉部２０１の上面は図１１（ｂ）に破線Ｌ５で示すようにほぼ水平になる。
【００９３】
［第２の実施形態］
図１２は、本発明の第２の実施形態に係るドアパネル（自動車のドアの内側に設置されるパネル）１０１の概略構成を示す図である。
【００９４】
第２の実施形態に係るドアパネル１０１は、第１の実施形態に係るインパネ１を被覆している皮革と同様な皮革を用いて被覆されているものであり、第１の実施形態に係るインパネ１とほぼ同様の効果を奏する。
【００９５】
すなわち、ドアパネル１０１は、基材１０３を、皮革５と同様に構成された複数片の皮革１０５、１０７、１０９、１１１、１１３、１１５、１１７、１１９等で覆って構成されている。
【００９６】
なお、インパネ１やドアパネル１０１は、自動車の内壁部材の例である。
【図面の簡単な説明】
【００９７】
【図１】本発明の第１の実施形態に係るインパネの概略構成を示す図である。
【図２】インパネを分解した状態を示す図である。
【図３】皮革の重合部を折り返して形成している状態を示す図である。
【図４】重合部の形成過程および構成を示す図である。
【図５】重合部の形成過程および構成を示す図である。
【図６】図１におけるＶＩ−ＶＩ断面を示す図である。
【図７】皮革の重合の貼り付け強度を測定するときの方法を示す図である。
【図８】皮革の重合部を基材に接着剤で貼り付けたときの強度試験結果を示す図である。
【図９】小剛性部位の変形例や薄肉部の変形例を示す図である。
【図１０】小剛性部位の変形例を示す図である。
【図１１】皮革素材における薄肉部の形態の変形例を示す図である。
【図１２】本発明の第２の実施形態に係るドアパネルの概略構成を示す図である。
【符号の説明】
【００９８】
１  インパネ
３  基材
５、６、７  皮革
９  重合部
１１  薄肉部
１０１  ドアパネル
１０３  基材
１０５、１０７、１０９、１１１、１１３、１１５、１１７、１１９  皮革
２００  皮革素材
２０１  薄肉部
２０９  面
２１５  面
【図１】
2008094126.tif 000003
【図２】
2008094126.tif 000004
【図３】
2008094126.tif 000005
【図４】
2008094126.tif 000006
【図５】
2008094126.tif 000007
【図６】
2008094126.tif 000008
【図７】
2008094126.tif 000009
【図８】
2008094126.tif 000010
【図９】
2008094126.tif 000011
【図１０】
2008094126.tif 000012
【図１１】
2008094126.tif 000013
【図１２】
2008094126.tif 000014